(57)【要約】【課題】天井や壁面に照明器具（照明装置）を増設しようとしても専門業者による電気工事が必要となるなど簡単にはできない。【解決手段】ベースユニット１と同ユニット１から発せられるビーム光を受光して発光する少なくとも一つ以上の独立したサテライトユニット２とからなり、ベースユニット１は屋内天井の配線器具３と機械的及び電気的に接続可能な接続手段４を備え、配線器具３からの電気で駆動されて所望のターゲットに向けてビーム光を照射可能とする指向性投光手段５を一つ以上備えており、サテライトユニット２は屋内天井や屋内壁面に固定可能な取付部６を備え、ベースユニット１のビーム光を受光して所望の方向に向きを変え且つビームを広げ及び／又は拡散させて照射可能とする拡散照射手段７を備える。【選択図】図１
2013020775.tif 000002
【特許請求の範囲】
【請求項１】
ベースユニットと同ユニットから発せられるビーム光を受光して発光する少なくとも一つ以上の独立したサテライトユニットとからなる照明装置であり、ベースユニットは屋内天井の配線器具と機械的及び電気的に接続可能な接続手段を備え、配線器具からの電気で駆動されて所望のターゲットに向けてビーム光を照射可能とする指向性投光手段を一つ以上備えており、サテライトユニットは屋内天井や屋内壁面に固定可能な取付部を備え、ベースユニットのビーム光を受光して所望の方向に向きを変え且つビームを広げ及び／又は拡散させて照射可能とする拡散照射手段を備えることを特徴とする照明装置。
【請求項２】
屋内天井の配線器具と機械的及び電気的に接続可能な接続手段を備え、配線器具からの電気で駆動されて所望のターゲットに向けてビーム光を照射可能とする指向性投光手段を一つ以上備えてなることを特徴とするベースユニット。
【請求項３】
指向性投光手段はビーム光の照射方向を自由に調整可能とする構造であることを特徴とする請求項２記載のベースユニット。
【請求項４】
下面に別の照明装置を機械的及び電気的に接続可能とする外部機器接続手段を備えることを特徴とする請求項２又は請求項３記載のベースユニット。
【請求項５】
屋内天井や屋内壁面に固定可能な取付部を備え、ベースユニットのビーム光を受光して所望の方向に向きを変え且つビーム光を広げ及び／又は拡散させて照射可能とする拡散照射手段を備えることを特徴とするサテライトユニット。
【発明の詳細な説明】
【技術分野】
【０００１】
本発明は屋内用の照明装置に関するものであり、例えば一般家庭用の照明装置として適したものである。
【背景技術】
【０００２】
屋内用の照明装置としては、例えば一般家庭向けにシーリングライト、スポットライト、ペンダントライト、シャンデリアがある。これら照明装置は、デザインは多様であり、また電球も一つだけ持つものから複数持つものまで様々である。しかし、いずれの照明装置も天井に設けられた配線器具（引掛シーリングや引掛埋込ローゼット、或は口金ソケットなど）に１対１で取り付けられる。配線器具は例えば６畳前後の部屋であれば天井のほぼ中央に一つだけである。従ってこの場合、部屋の住人は自分の目的やイメージに合わせて一部屋に一つの照明器具を購入して取り付けることになる。しかし明るさが足りなかったり希望する場所を十分に照らせないとかいったケースもあり、この場合は別途スタンドライトを購入して設置したり、机や食卓テーブルの上であればデスクライトを購入・設置したりして対応する。或は、天井や壁に照明器具を増設することもできるが、この場合は増設したい箇所の天井や壁に穴を開け且つ係る電気配線工事が必要となり、専門の電気工事業者に工事依頼しなければならない。
【発明の概要】
【発明が解決しようとする課題】
【０００３】
解決しようとする問題点は、天井や壁面に照明器具（照明装置）を増設しようとしても専門業者による電気工事が必要となるなど簡単にはできないことである。
【課題を解決するための手段】
【０００４】
本発明のうち請求項１記載のものは、ベースユニット１と同ユニット１から発せられるビーム光を受光して発光する少なくとも一つ以上の独立したサテライトユニット２とからなる照明装置であり、ベースユニット１は屋内天井の配線器具３に機械的及び電気的と接続可能な接続手段４を備え、配線器具３からの電気で駆動されて所望のターゲットに向けてビーム光を照射可能とする指向性投光手段５を一つ以上備えており、サテライトユニット２は屋内天井や屋内壁面に固定可能な取付部６を備え、ベースユニット１のビーム光を受光して所望の方向に向きを変え且つビームを広げ及び／又は拡散させて照射可能とする拡散照射手段７を備えることを特徴とする。
【０００５】
本発明のうち請求項２記載のものは、屋内天井の配線器具３と機械的及び電気的に接続可能な接続手段４を備え、配線器具３からの電気で駆動されて所望のターゲットに向けてビーム光を照射可能とする指向性投光手段５を一つ以上備えてなることを特徴とする。
【０００６】
本発明のうち請求項３記載のものは、指向性投光手段５はビーム光の照射方向を自由に調整可能とする構造であることを特徴とする。
【０００７】
本発明のうち請求項４記載のものは、下面に別の照明装置を機械的及び電気的に接続可能とする外部機器接続手段８を備えることを特徴とする。
【０００８】
本発明のうち請求項５記載のものは、屋内天井や屋内壁面に固定可能な取付部６を備え、ベースユニット１のビーム光を受光して所望の方向に向きを変え且つビーム光を広げ及び／又は拡散させて照射可能とする拡散照射手段７を備えることを特徴とする。
【発明の効果】
【０００９】
本発明のうち請求項１記載の照明装置では、配線器具３に取り付けたベースユニット１の指向性投光手段５が遠方まで届くビーム光を発するため、サテライトユニット２を離れた位置に配置しても元の光強度に近い光を同サテライトユニット２で効率よく受光することができる。そしてサテライトユニット２では拡散照射手段７がビーム光の向きを変えたり広げたり或は拡散させたり或はそれらを組み合わせて周囲を照らすことができるため、同サテライトユニット２はあたかも内部に光源を持つ照明と同じ様に使用することができる。即ちサテライトユニット２はベースユニット１からのビーム光が届く範囲の位置であれば電気工事不要でどこにでも取り付けることができ、簡単にその周囲を照らすことができる。しかも指向性投光手段５は複数とすることができ、その数だけサテライトユニット２を取り付けて簡単に複数の箇所を照らすことができる様になる。
【００１０】
本発明のうち請求項２記載のベースユニットでは、屋内天井の配線器具３と機械的及び電気的に接続可能な接続手段４を備えるため、どの様な部屋にでもある配線器具３を使って簡単に電気工事無しで取り付けることができる。そしてその電気を使用して所望のターゲットに向けてビーム光を照射可能とする指向性投光手段５を備えているため、遠くのターゲットにまで効率よく光を送ることができる。しかも指向性投光手段５は複数設けることができるため、複数のターゲットに一つのベースユニット１で対応することができる。
【００１１】
本発明のうち請求項３記載のベースユニットでは、指向性投光手段５がビーム光の照射方向を自由に調整可能であるため、サテライトユニット２の取付位置を後からでも簡単に変更することができる。
【００１２】
本発明のうち請求項４記載のベースユニットでは、下面に別の照明装置を機械的及び電気的に接続可能とする外部機器接続手段８を備えるため、６、８畳前後の部屋では通常一つだけのことが多い配線器具３にベースユニット１を取り付けてしまっても、その下に別の市販の照明装置を取り付けることができるので便利である。
【００１３】
本発明のうち請求項５記載のサテライトユニットでは、屋内天井や屋内壁面に固定可能な取付部６を備えるので簡単に部屋の天井や壁に取り付けることができる。しかもビーム光を受光して所望の方向に向きを変え且つビーム光を広げ及び／又は拡散させて照射可能とする拡散照射手段７を備えるため、指向性を高めるためにビーム径が絞られた鋭い光を受光する場合であっても照明として適した光に広げたり拡散させたりそれらを組み合わせたりしてあたかも内部に光源を持つ照明の様に機能させることができる。
【図面の簡単な説明】
【００１４】
【図１】第１の実施形態における照明装置とそれに用いられるベースユニット及びサテライトユニットの斜視図である。
【図２】図１において配線器具とベースユニットを離した状態であり、（ａ）は側面図、（ｂ）は斜視図である。
【図３】第２の実施形態における照明装置とそれに用いられるベースユニット及びサテライトユニットの説明図であり、天井面を下から見た様子。
【図４】第3の実施形態におけるベースユニットの断面図である。
【図５】第４の実施形態における照明装置とそれに用いられるベースユニット及びサテライトユニットの斜視図である。
【図６】第５の実施形態におけるサテライトユニットの側面図である。
【発明を実施するための形態】
【００１５】
以下では、本発明の一例に係る実施形態について説明する。ここで説明する実施形態は、本発明の構成や構造を分かりやすく説明するための限られた例であって、特に照明装置には多様なデザインが存在するものであって、以下に説明するデザインに限られるものではない。
（第１の実施形態）
図１、２は本発明における照明装置とそれに用いられるベースユニット及びサテライトユニットの第１の実施形態であり、１台のベースユニットに対して１台のサテライトユニット２を設けた例で説明する。図１、２の３は引掛ローゼット或は引掛シーリングなどと呼ばれる照明器具を取り付けるための配線器具であり、屋内天井１０に取り付けられている。同配線器具３には図示されていない天井裏の配線を通じてＡＣ１００Vが給電される様になっており、同じく図示されていない屋内の電灯スイッチで電流をオンオフできる様になっている。この配線器具３の平らな下面１１には略円弧状の挿入孔１２ａ、１２ｂが設けられており、これらの差込孔１２ａ、１２ｂに市販の照明装置、例えばシーリングライトなどを、上部に設けられた導電性の金属爪を差し込ませて所定の方向に回転させると機械的及び電気的に接続して使用することができる様になっている。
【００１６】
図１、２の１は本件発明における照明装置を構成する要素の一つであるベースユニットであり、略円筒状の筐体１３の平らな上面１４に前記配線器具３の挿入孔１２ａ、１２ｂに差し込ませて機械的及び電気的に接続可能な導電性金属爪１５ａ、１５ｂを有する接続手段４が設けられている。この２つの導電性金属爪１５ａ、１５ｂは、先のシーリングライトなどのものと同様のものであり、先端部が水平に折り曲げられており、この先端部を配線器具３の挿入孔１２ａ、１２ｂに差し込んで所定の方向に回転するとベースユニット１が配線器具３から抜け落ちない様に係止され且つ内部の駆動回路（光源１８を駆動するための回路）と電気的に接続される様になっている。即ち機械的に係止され且つ電気的に接続される。
【００１７】
図１、２の５はベースユニット１の筐体１３の外周部分に設けられた指向性投光手段である。同指向性投光手段５は、筐体１３の外周面に一部が露出するように取り付けられた略球体状の球体部分１６と筐体１３から突出する筒状に成形された筒状部分１７とからなり、筒状部分１７は球体部分１６の中心を支点として上下左右方向に自由に回動可能になっている。筒状部分１７の内部にはＬＥＤ（発光ダイオード）の光源１８とリフレクタ１９、レンズ２０が収容されている。光源１８は筐体１３内部に設けられた図示されていない駆動回路を介して導電性金属爪１５ａ、１５ｂと電気的に接続されており必要な強度の光を発光する。光源１８の光はリフレクタ１９及びレンズ２０を介して筒状部分１７の先端開口部２１から略平行光のビーム光として出射されるようになっている。この指向性投光手段５は同じものが筐体１３の反対側にも設けられており、ビーム光を出射できる様になっている（このビーム光を受光するサテライトユニット２は示していない。）。
【００１８】
図１、２のベースユニット１の筐体１３の平らな下面２２には前記配線器具３と同様２つの挿入孔２３ａ、２３ｂが設けられており、外部機器接続手段８となっている。この挿入孔２３ａ、２３ｂに、本来であれば配線器具３に直接取り付けられる市販の照明器具を取り付けることができる。挿入孔２３ａ、２３ｂ内部には同孔２３ａ、２３ｂに差し込まれた外部照明器具の導電性金属爪と電気的に接続される様になっている。なお、本発明においてはベースユニット１の下面２２に外部機器接続手段８を設ける代わりに、ＬＥＤや蛍光灯などのランプを設けて屋内を直接照らす様にすることもできる。
【００１９】
図１の２は本発明の照明装置を構成する要素のもう一つであるサテライトユニットであり、天井中央部分からオフセットした位置で新たに照明を設けたい箇所の屋内天井１０に取り付けてある。他方前記ベースユニット１の指向性投光手段５の一つを同方向に向けて向きを調整してある。サテライトユニット２は、円盤形の取付部６が４本の木ネジ（図示されていない）で天井１０に固定されている。取付部６の下方には４５°の角度でミラーが取り付けられている。このミラー２５は、ベースユニット１からのビーム光を真下方向に反射すると共に、反射面が平らでなくわずかに凸状に膨らんでおり反射光を１０度位に広げて下方に照射する様にしてある（光の向きを変え且つ広げる拡散照射手段７として機能する。）。このミラーの周囲には乳白色のアクリル樹脂で略円錐形状に成形されたフード２６を配置してあり、ミラー２５に反射された光の中心部の光は真下に開けられた開口部２７を抜けて直接床面に向けて照射され、外側の光はフード２６下部を照らしてフード２６自体を点灯するようになっている（光を拡散する拡散照射手段７として機能する。）。なお、フード２６側面には丸穴２８が開いており、ベースユニット１からのビーム光が直接ミラー２５に照射される様にしてある（ビーム光の指向性が悪く丸穴２８より広がっている場合には広がった部分の光がフード２６を照らす効果も活用できる。）。ここで説明したミラー２５とフード２６は二つを組み合わせて拡散照射手段７の光を広げる機能と光を拡散する機能の二つを実現する様にした一例であり、ミラー２５だけでビーム光の向きを変え且つ光を広げて反射する構造とすればフード２６は不要であり（拡散機能を必要としない場合）、逆に光を当てるとぼんやりと光を拡散して発光するフード２６相当品を設ければミラー２５は不要である（光を直接的に広げる機能を必要としない場合）。
【００２０】
本実施形態における図１、２のベースユニット１には二つの指向性投光手段５があり、サテライトユニット２と対向していない方の指向性投光手段５の方にも同様のサテライトユニット（図示していない）を配置することができる。なお、二つの指向性投光手段５は同時に点灯することも、或は筐体１３にスイッチを設けてどちらか一方だけを選択的に点灯する様にすることもできる。さらには筐体１３にリモコン操作機能を設けて、リモコンスイッチによる遠隔操作で指向性投光手段５をオンオフできる様にすることもできる。
【００２１】
（第２の実施形態）
図３は本発明における照明装置の第２の実施形態であり、ベースユニット１に指向性投光手段５を４つ放射状に配置して設けたものである。この場合、サテライトユニット２を４台部屋の天井四隅に配置することができ、暗くなりがちなこれらの箇所を明るくすることに役立つ。本件発明ではさらにはより多くの指向性投光手段５を設けてもよく、同様にサテライトユニット２も複数設けてよい。
【００２２】
（第３の実施形態）
図４は本発明における照明装置の第３の実施形態であり、配線器具３が天井１０に埋め込まれたダウンライトのソケットである場合の例である。図４は同ソケットを含む天井の断面図であり、ソケット３を取り囲むケース３０が天井１０内に埋め込まれており、中央奥にダウンライト電球を取り付けるための口金（ここではＥ２６口金）３１が設けられている。ベースユニット１は筐体１３がケース３０内に嵌り込む様に細長い円柱形状に製作され、筐体１３下部が天井１０の下面より露出する様にしてある。同筐体１３の上面１４には電球の口金と同じ口金３２が設けられて接続手段４となっている。ベースユニット１の口金３２をダウンライトのソケット３にねじ込むとベースユニット１がソケット３に固定され且つ図示していない筐体１３内部の駆動回路がソケット３と電気的に接続される。ベースユニット１の筐体１３下部の天井１０面から露出する部分には図１のものと同じ指向性投光手段５を２つ設けてあり、ソケット３からの給電でビーム光を照射できる様になっている。さらにベースユニット１の下面３３にはＬＥＤ３４を配置してあり、図示していない内部の駆動回路により発光されて下方を照らすことができる様にしてある。本件発明において筺体１３の下側部分をその円筒形筺体の中心軸を中心に１８０度程度回転自在とし、指向性投光手段５ごと回転できるようにすると便利である。なぜならベースユニット１を配線器具３にねじ込んで接続する際に指向性投光手段５がどの向きで固定されるか分からないためである。
【００２３】
（第４の実施形態）
図５は本発明における照明装置の第４の実施形態であり、ベースユニット１は図１と同じものであるが、サテライトユニット２が異なる。図５に示すサテライトユニット２は板状の取付部６が４本の木ネジで天井付近の壁面４６に固定されている。取付部６の正面にはプリズム４０を配置してあり、ベースユニット１からのビーム光が正面４１に入射され、面４２で反射されて上面４３から出射される様になっている。さらにこの場合のプリズムの上面４３は曇りガラスの様にしてあり出射される光が拡散して上方に放たれる様にしてある（光の方向を変更し且つ光を拡散させる拡散照射手段７として機能する。）。またプリズム４０の周囲には乳白色のアクリル樹脂製のフード４４を設けてあり、プリズム４０前方にはビーム光が通り抜けるための窓４５を開けてある。即ち、この場合のサテライトユニット２は室内の壁面４６に取り付けてその付近の天井１０を照らす様に構成したものであり、第１の実施形態のサテライトユニット２が直接照明として機能するものであるのに対して、こちらは間接照明として機能する様にしたものである。
【００２４】
（第５の実施形態）
図６は本発明における照明装置の第５の実施形態であり、機能性よりデザイン性を優先させた例である。サテライトユニット２を天井に固定する取付部６の下にプリズム５０を配置し、その下側に複数の透明アクリル樹脂製のバー５１を透明なナイロンコード５２で吊り下げてなるものである。図示していないベースユニット1からのビーム光はプリズムの面５３から入射し、面５４で反射され、下面５５から出射される様になっており、この光が吊るされたバー５１の上端５６に入射され、テーパを付けた下端５７で反射され、バー５１が光る様になっている。この場合はプリズム５０はビーム光を曲げるだけで、光の拡散はバー５１によって行われる様にしてある。即ち拡散照射手段７がプリズム５０とバー５１とを組み合わせて行われる様にしてある。
【００２５】
本発明においてサテライトユニット２の拡散照射手段７は、指向性投光手段５から出射される指向性の強いビーム光を照明として機能する様にできるものであればよく、ビーム光の向きを変えたり、ビーム光を広げたり、ビーム光を拡散させたり、これらを複数組み合わせたりして行うことができれば、以上で説明したものに限られない。例えばビーム光の向きを変える手段には上記のミラーやプリズムの他、光ファイバを束ねたライトガイド（導波路）を用いることもでき、光の屈折を利用して向きを変える他の光学デバイスを用いることもできる。また光を広げるものとしてはレンズや局面を有する反射板を用いることもできる。光を拡散させるものとしては曇りガラスやＬＥＤバックライトで用いられる各種の拡散板に加えて和紙なども用いることができる。そしてこれらの光の向きを変える手段、広げる手段、拡散手段を自由に組み合わせて所望とする照明特性を得られる様にすることができる。また照明としては必ずしも適さないが、サテライトユニット２はインテリアとして趣味性を強調する場合には、ビーム光の色を変化する手段を組み合わせても良い。
【産業上の利用可能性】
【００２６】
本発明は、天井の各種配線器具に取り付けられる照明装置として利用可能なものである。
【符号の説明】
【００２７】
１  ベースユニット
２  サテライトユニット
３  配線器具
４  接続手段
５  指向性投光手段
６  取付部
７  拡散照射手段
８  外部機器接続手段
【図１】
2013020775.tif 000003
【図２】
2013020775.tif 000004
【図３】
2013020775.tif 000005
【図４】
2013020775.tif 000006
【図５】
2013020775.tif 000007
【図６】
2013020775.tif 000008